(57)【要約】【課題】  カプラーと圧力計及びバルブとが一体となった片手で容易確実に着脱可能な薬液搬送容器等のガス抜き治具を提供する。【解決の手段】  バルブ２０、スリーブ３１付きカプラー３０及びバルブ２０とカプラー３０とを連結するパイプ４０並びにパイプ４０に配設された圧力計１０からなりカプラー３０を介して着脱するガス抜き治具であって、パイプ４０の少なくとも１部は片手で掴むためのにぎり部４１を兼ね、スリーブ３１にはにぎり部４１から片手の指をかけることができる位置に指かかり５０が設けられ、にぎり部４１から片手の指を指かかり５０にかけてスリーブ３１をカプラー３０の先端部から摺動後退させることによりカプラー３０を着脱できるようにしたガス抜き治具。【選択図】    図１
2006053015.tif 000002
【特許請求の範囲】
【請求項１】
バルブ、スリーブ付きカプラー及び前記バルブと前記カプラーとを連結するパイプ並びに前記パイプに設けられた圧力計からなり前記カプラーを介して着脱するガス抜き治具であって、前記パイプの少なくとも１部は片手で掴むためのにぎり部を兼ね、前記スリーブには前記にぎり部から片手の指をかけることができる位置に指かかりが設けられ、前記にぎり部から片手の指を前記指かかりにかけて前記スリーブを前記カプラーの先端部から摺動後退させることにより前記カプラーを着脱できるようにしたことを特徴とするガス抜き治具。
【請求項２】
圧力計を一端に、バルブを他端にそれぞれ結合したパイプの途中から分岐するパイプの先端にカプラーが結合され、前記圧力計とバルブとを連結する前記パイプはにぎり部を兼ね、前記圧力計は文字盤面が前記分岐するパイプと反対側に向き、かつ、前記分岐するパイプと直交関係にあるように結合され、前記カプラーの先端を下向きに容器に係合した場合に、前記にぎり部は水平となってしかも前記圧力計の文字盤が上向きになるようにした請求項１記載のガス抜き治具。
【発明の詳細な説明】
【技術分野】
【０００１】
本発明は、バルブ、スリーブ付きカプラー（流体継手。本明細書ではカプラーと称する。）及び上記バルブと上記カプラーとを連結するパイプ並びに上記パイプに設けられた圧力計からなり薬液搬送容器等に上記カプラーを介して着脱するガス抜き治具に関する。
【背景技術】
【０００２】
半導体、液晶用化学薬品を始めとする各種薬液等を輸送する際には、輸送の安全、取扱の容易等の見地から、樹脂製又はステンレス等の金属製のタンク状又はボンベ状の搬送容器が用いられている。キャニスターとも称されるこのような搬送容器は、内容物を注入した後厳重に密閉される。
【０００３】
ところで、産業現場等においては、液状化学製品等をキャニスターに充填して出荷する際に、搬送容器の密閉が完全であることを確認するために、加圧検査を行っている。この検査は、窒素ガス等を容器内に加圧注入し、漏れがないかどうかを確認するためのものである。通常は、輸送時の安全等のために、検査後に、加圧注入したガスを外部に逃がして容器内部を常圧に戻す作業を行う。
【０００４】
この作業は、容器の接続口にバルブを接続し、バルブを通じて内圧を解放してやることにより行われる。バルブの接続には通常、カプラーと呼ばれる着脱可能な管継手が使用されるが、作業の能率化のために、専用の治具を作成して使用されるのが通常である。
【０００５】
多数のキャニスターを取り扱う産業現場では、作業の効率化が極めて重要であるから、ガス抜きを容易かつ確実に行うために、カプラーと圧力計及びバルブとが一体となった治具が使用されており、例えば、バルブ、スリーブ付きカプラー及び上記バルブと上記カプラーとを連結するパイプ並びに上記パイプに設けられた圧力計からなる治具が従来使用されている。しかしながら、カプラーを着脱するためにはスリーブを両手で摺動させる必要があり、しかも、スリーブを掴む手が滑り易く、着脱作業に手間がかかる問題があった。
【０００６】
カプラーを着脱容易にすることにより管接続作業の能率化を図る技術としては、スリーブに設けられた可動のにぎり部をなす治具とカプラー本体に設けられた固定のにぎり部をなす治具とを有し、可動のにぎり部と固定のにぎり部とを掴むことでスリーブを摺動させ取り外しを行うことができるカプラー脱着治具がある（例えば、特許文献１参照。）。しかし、この治具は、比較的大口径の管に適合するものであり、しかもカプラー自体に可動のにぎり部と固定のにぎり部とを設けるものであって、仮にカプラーと圧力計及びバルブとが一体となった治具に適用したとしても、治具の保持とカプラー操作のために両手で操作せざるを得ず、産業現場で多量の作業量を扱う場合に適合するものではない。
【０００７】
【特許文献１】特開平６−１０９１８６号公報
【発明の開示】
【発明が解決しようとする課題】
【０００８】
上述の現状に鑑みて、本発明は、カプラーと圧力計及びバルブとが一体となった片手で容易確実に着脱可能な薬液搬送容器等のガス抜き治具を提供することを目的とする。
【課題を解決するための手段】
【０００９】
本発明者は上記課題を解決するべく鋭意検討した結果、治具のにぎり部から片手の指でスリーブを操作できるようにスリーブに指かかりを設けることにより、上記課題を解決しうることを見出し、本発明を完成した。
すなわち、本発明は、バルブ、スリーブ付きカプラー及び上記バルブと上記カプラーとを連結するパイプ並びに上記パイプに設けられた圧力計からなり上記カプラーを介して着脱するガス抜き治具であって、上記パイプの少なくとも１部は片手で掴むためのにぎり部を兼ね、上記スリーブには上記にぎり部から片手の指をかけることができる位置に指かかりが設けられ、上記にぎり部から片手の指を上記指かかりにかけて上記スリーブを上記カプラーの先端部から摺動後退させることにより上記カプラーを着脱できるようにしたことを特徴とするガス抜き治具である。
【００１０】
上記治具は、圧力計を一端に、バルブを他端にそれぞれ結合したパイプの途中から分岐するパイプの先端にカプラーが結合され、上記圧力計とバルブとを連結する上記パイプはにぎり部を兼ね、上記圧力計は文字盤面が上記分岐するパイプと反対側に向き、かつ、上記分岐するパイプと直交関係にあるように結合され、上記カプラーの先端を下向きに容器に係合した場合に、上記にぎり部は水平となってしかも上記圧力計の文字盤が上向きになるようにすることもできる。
【発明の効果】
【００１１】
本発明は上述の構成により、以下の効果を有する。
（１）スリーブにのみ指かかりを設け、カプラー本体にはにぎり部を設けていないので、カプラーのにぎり部に邪魔されずにスリーブの指かかりに容易に指をかけることができる。
（２）治具のパイプの一部をにぎり部に兼ねることにより、カプラー本体ににぎり部を設ける必要がなく、しかも、治具を安定に片手で保持しつつ、片手でスリーブを容易に摺動することができる。
（３）特別のカプラーを用いることなく、スリーブに指かかりを設けるだけでよく、従来の治具の改造のための極めて低コストな費用のみで実現できる。
以下、本発明を詳細に説明する。
【発明を実施するための最良の形態】
【００１２】
以下に、本発明の実施の一態様を図面に基づいて説明する。図１は本発明のガス抜き治具の一態様である。圧力計１０とガスを抜くためのバルブ２０及びカプラー３０がＴ字状のパイプ４０で連結されている。パイプ４０の圧力計１０とバルブ２０とを連結する部分は片手で掴むことができ、にぎり部４１を兼ねている。カプラー３０にはスリーブ３１が設けられており、スリーブ３１をカプラー３０の長軸方向に摺動させることでカプラーを分離することができる。スリーブが円周方向に回転することでカプラーが脱落しないように固定される機構を有する場合は、スリーブの作動方向がカプラー３０の長軸方向のみであることが好ましいから、そのような機構が作用しないようにするか、又は、そのような機構を持たないものを使用することができる。
【００１３】
スリーブ３１にはＬ字状の金属棒からなる指かかり５０が互いに１８０度離れた２箇所に設けられている。指かかり５０の指かかり部５１はにぎり部４１を握った手の指、例えば、人指し指と中指で左右の指かかり部５１に指をかけることができるように、しかも引き上げ動作を可能とするように、通常は、スリーブから３〜５ｃｍ程度にぎり部４１寄りに位置することが好ましい。すなわち、通常使用されるカプラーのサイズ及びＴ字状管継手のサイズを考慮すると、スリーブ３１はにぎり部から１０ｃｍ程度の距離に位置する。従って、指かかり５０をスリーブ３１に固定し、かつ、指かかり部５１はスリーブから３〜５ｃｍ程度にぎり部４１寄りの位置にくるようにする。通常は、この指かかり部５１の位置は適宜操作者の体格等を考慮して上記にぎり部から片手の指をかけることができる位置に設定すればよい。また、指かかりの形状は特に限定されず、スリーブの引き上げを、治具を保持する手の指で行うことができるものであれば適宜選定することができ、例えば、図３に示すように、断面円形の棒状Ｌ字状部材（図３中、（ａ））以外にも、断面偏平楕円形のヘラ状材の一端を指かかり部を成すように曲げてなるもの（図３中、（ｂ））、短冊状材の一端を指かかり部を成すように曲げてなるもの等が挙げられる。素材は金属又は樹脂等であってよい。
【００１４】
圧力計１０の文字盤面１１は、カプラーの接続口を下向きにしてキャニスターに係合した場合に読み取りやすい上向きになることが好ましい。従って、カプラーを結合したパイプと反対向きに文字盤面がくるようにパイプ４０に結合することが好ましい。この態様はキャニスターの高さが低く、治具を接続した場合に操作者の目線よりも下方に治具が位置する場合に好適である。
【００１５】
一方、キャニスターの高さが比較的高い場合には圧力計の文字盤面が正立している方が読み取り易いので、図２に示したように、ガスを抜くためのバルブ２０とカプラー３０がＬ字状のパイプ４０で連結され、圧力計１０がカプラー３０に対してパイプ４０の反対側に結合しているように配置することができる。
【００１６】
本発明の治具を使用する場合は、本発明の治具のにぎり部を片手で保持しつつ、治具を保持する手の指を指かかり部にかけてカプラーのスリーブを引き上げ、図４に示すように、薬液搬送容器６０の所定のソケット部にカプラーを係合する。そして、圧力計の表示を確認しつつバルブを開いてガス抜き操作を行う。ガス抜きが完了して常圧に戻ったことを圧力計の表示で確認してから、ふたたび指かかり部を指で引き上げてスリーブを摺動させてカプラーを容器から分離する。このように、もっとも手間のかかるカプラーの係合・分離操作を片手で治具を保持しつつ速やかにかつ確実に行うことができる。また、本発明の治具は、ガス抜き以外にも使用可能であり、例えば、加圧容器においては、内圧の計測を行うための治具として使用可能であり、例えば、流体の加圧注入時の圧力計測、充填された容器の圧力計測、充填された内容物の取り出し時の圧力計測、等においても好適に使用可能である。
【産業上の利用可能性】
【００１７】
本発明は、バルブ、スリーブ付きカプラー及び上記バルブと上記カプラーとを連結するパイプ並びに上記パイプに設けられた圧力計からなり薬液搬送容器等の加圧容器に上記カプラーを介して着脱することができ、ガス抜きや圧力計測等を行う治具として、片手で容易かつ確実に容器に着脱可能であり、しかも、従来の治具を改造するだけで容易に実現することができ、低コストに作業の能率化を達成するので、多量の作業量を扱う産業現場に極めて好適である。
【図面の簡単な説明】
【００１８】
【図１】本発明の一態様を示す概念図である。
【図２】本発明の他の一態様を示す概念図である。
【図３】本発明における指かかりを示す概念図である。
【図４】本発明の治具の使用の様子を示す概念図である。
【符号の説明】
【００１９】
１０．圧力計
１１．文字盤面
２０．バルブ
３０．カプラー
３１．スリーブ
４０．パイプ
４１．にぎり部
５０．指かかり
５１．指かかり部
６０．薬液搬送容器
【図１】
2006053015.tif 000003
【図２】
2006053015.tif 000004
【図３】
2006053015.tif 000005
【図４】
2006053015.tif 000006